(57)【特許請求の範囲】
【請求項１】
電気所に設置されている停止負荷時タップ切換変圧器のタップの位置を表す値である停止前のタップ値と、運転中負荷時タップ切換変圧器のタップの位置を表す値である運転中のタップ値を予測する変圧器タップ値の予測方法であって、
前記停止負荷時タップ切換変圧器のパーセントインピーダンスと、前記運転中負荷時タップ切換変圧器のパーセントインピーダンスを含むデータをあらかじめ記憶手段に記憶し、
前記停止負荷時タップ切換変圧器の停電前１次側電圧、２次側電圧および停電前最新無効電力を前記電気所から受け取ると、
前記記憶手段から読み出した前記停止負荷時タップ切換変圧器のパーセントインピーダンスと、前記１次側電圧、前記２次側電圧および前記無効電力とを基に、該停止負荷時タップ切換変圧器のタップ比を電圧降下法による演算式で算出し、
算出したタップ比に対応する停止前のタップ値を得て、
前記運転中負荷時タップ切換変圧器の１次側電圧、２次側電圧および無効電力を前記電気所から受け取ると、
前記記憶手段から読み出した前記運転中負荷時タップ切換変圧器のパーセントインピーダンスと、前記１次側電圧、前記２次側電圧および前記無効電力とを基に、該運転中負荷時タップ切換変圧器のタップ比を電圧降下法による演算式で算出し、
算出したタップ比に対応する運転中のタップ値を得て
算出した前記停止負荷時タップ切換変圧器の停止前のタップ値を、前記運転中負荷時タップ切換変圧器の運転中のタップ値に合わせる、
ことを特徴とする変圧器タップ値の予測方法。
【請求項２】
前記停止負荷時タップ切換変圧器と前記運転中負荷時タップ切換変圧器の各タップ値に対応する値であって、該変圧器の１次側電圧と２次側電圧の比であるタップ比の値をデータとしてあらかじめ記憶手段に記憶し、
前記電圧降下法で算出したタップ比に最も近い値を前記記憶手段に記憶されているデータから選択し、選択した値に対応するタップ値を該前記停止負荷時タップ切換変圧器または前記運転中負荷時タップ切換変圧器のタップ値にする、
ことを特徴とする請求項１に記載の変圧器タップ値の予測方法。
【発明の詳細な説明】
【技術分野】
【０００１】
この発明は、電気所に設置されている負荷時タップ切換変圧器のタップの位置を算出する、変圧器タップ値の予測方法に関する。
【背景技術】
【０００２】
電気所として、例えば６６ｋＶや１１０ｋＶの電圧を６．６ｋＶに変換して、需要家に向けて供給する配電用変電所がある。通常、こうした配電用変電所には、複数台の配電用変圧器が設置され、配電用変圧器として負荷時タップ切換変圧器が用いられている。この負荷時タップ切換変圧器は、負荷等が変化したときの配電線の電圧変動に対応するために、１次側の巻線に設けられているタップの切り換えが可能な変圧器である。これにより、一定電圧の良質な電気を供給することができる。
【０００３】
こうした配電用変圧器が設置されている配電用変電所では、停電作業等により配電用変圧器を停止している場合の復旧操作時には、停止している配電用変圧器と、この配電用変圧器に代わって現在運転中の配電用変圧器との並用が行われる。しかし、並用前に、運転中の配電用変圧器のタップ値を確認し、停止している配電用変圧器のタップ値を、運転中の変圧器の値に合わせる必要がある。もし、タップ合わせが行われないと、需要家に供給される電圧が低くなり過ぎたり、逆に高くなり過ぎたりして、需要家に良質な電気を送ることができない。なお、タップ値は負荷時タップ切換変圧器のタップの位置を表す値である。
【０００４】
配電用変圧器の場合、タップ値がＴＣ（Ｔｅｌｅｃｏｎｔｒｏｌ  Ｅｑｕｉｐｍｅｎｔ：遠方監視制御装置）送りとなっていないため、タップ合わせのときのタップ値の確認は、該当する変電所に担当者が出向いて確認している。このような出向く手間を除くために、例えばタップの位置を判定する装置がある（例えば、特許文献１参照。）。
【０００５】
この装置は、一次側電流計測手段、二次側電流計測手段、波形取得部、演算部および判定部を備えている。各電流計測手段は、変圧器の１次側電流および二次側電流をそれぞれ計測し、波形取得部は、一次側電流計測手段および二次側電流計測手段により同時に計測された所定時間の電流の波形を取得する。波形取得部で取得した波形の実効値の平均値を演算部が演算すると、判定部は、演算部により演算された一次側の平均値と二次側の平均値との比により、変圧器のタップ位置を判定する。
【先行技術文献】
【特許文献】
【０００６】
【特許文献１】特開２００９−１１７５０８号公報
【発明の概要】
【発明が解決しようとする課題】
【０００７】
先に述べたように、並用する２台の変圧器では、タップ値を確認し、タップ合わせをして、並用操作をする必要がある。無人電気所つまり無人配電用変電所内で停電作業が行われている場合には、担当者が電気所に出張し対応しているため、電気所でのタップ値確認は容易にできる。しかし、送電線作業など電気所以外の場所で作業する場合には、担当者が電気所に行っていないため、復旧時にはタップ値を確認するためにだけ、遠方の電気所へ出向くこととなり、非効率的である。また、現地の電気所でのタップ確認時に、担当者の勘違いでタップ値を確認する変圧器を間違え、タップ値の調整を誤るという可能性もある。
【０００８】
一方、先に述べた装置には、次の課題がある。この装置では、波形の実効値の平均値を演算するために、演算部は、波形取得部により取り入れた電流波形の実効値を、連続する複数波形の１つ１つについて計算し、所定の波形数に対して平均値を演算する。つまり、計測開始時から取り入れた連続するｎ個の波形に対して、それぞれの実効値を計算し、ｎ個を一組として平均値を演算する。このために、先に述べた装置では、演算部による処理が複雑になる。
【０００９】
この発明の目的は、前記の課題を解決し、無人の配電用変電所への現地出張や、複雑な処理を不要にすることができる変圧器タップ値の予測方法を提供することにある。
【課題を解決するための手段】
【００１０】
前記の課題を解決するために、請求項１の発明は、電気所に設置されている停止負荷時タップ切換変圧器のタップの位置を表す値である停止前のタップ値と、運転中負荷時タップ切換変圧器のタップの位置を表す値である運転中のタップ値を予測する変圧器タップ値の予測方法であって、前記停止負荷時タップ切換変圧器のパーセントインピーダンスと、前記運転中負荷時タップ切換変圧器のパーセントインピーダンスを含むデータをあらかじめ記憶手段に記憶し、前記停止負荷時タップ切換変圧器の停電前１次側電圧、２次側電圧および停電前最新無効電力を前記電気所から受け取ると、前記記憶手段から読み出した前記停止負荷時タップ切換変圧器のパーセントインピーダンスと、前記１次側電圧、前記２次側電圧および前記無効電力とを基に、該停止負荷時タップ切換変圧器のタップ比を電圧降下法による演算式で算出し、算出したタップ比に対応する停止前のタップ値を得て、前記運転中負荷時タップ切換変圧器の１次側電圧、２次側電圧および無効電力を前記電気所から受け取ると、前記記憶手段から読み出した前記運転中負荷時タップ切換変圧器のパーセントインピーダンスと、前記１次側電圧、前記２次側電圧および前記無効電力とを基に、該運転中負荷時タップ切換変圧器のタップ比を電圧降下法による演算式で算出し、算出したタップ比に対応する運転中のタップ値を得て算出した前記停止負荷時タップ切換変圧器の停止前のタップ値を、前記運転中負荷時タップ切換変圧器の運転中のタップ値に合わせる、ことを特徴とする変圧器タップ値の予測方法である。
【００１１】
請求項１の発明では、停止負荷時タップ切換変圧器のパーセントインピーダンスと、運転中負荷時タップ切換変圧器のパーセントインピーダンスを含むデータを記憶手段が記憶している。停止負荷時タップ切換変圧器の停電前１次側電圧、２次側電圧および停電前最新無効電力を電気所から受け取ると、記憶手段から読み出した停止負荷時タップ切換変圧器のパーセントインピーダンスと、１次側電圧、２次側電圧および無効電力とを基に、停止負荷時タップ切換変圧器のタップ比を電圧降下法による演算式で算出する。そして、算出したタップ比に対応する停止前のタップ値を得る。そして、運転中負荷時タップ切換変圧器の１次側電圧、２次側電圧および無効電力を電気所から受け取ると、記憶手段から読み出した運転中負荷時タップ切換変圧器のパーセントインピーダンスと、１次側電圧、２次側電圧および無効電力とを基に、該運転中負荷時タップ切換変圧器のタップ比を電圧降下法による演算式で算出する。そして、算出したタップ比に対応する運転中のタップ値を得る。そして、算出した停止負荷時タップ切換変圧器の停止前のタップ値を、運転中負荷時タップ切換変圧器の運転中のタップ値に合わせる。
【００１２】
請求項２の発明は、請求項１に記載の変圧器タップ値の予測方法において、前記停止負荷時タップ切換変圧器と前記運転中負荷時タップ切換変圧器の各タップ値に対応する値であって、該変圧器の１次側電圧と２次側電圧の比であるタップ比の値をデータとしてあらかじめ記憶手段に記憶し、前記電圧降下法で算出したタップ比に最も近い値を前記記憶手段に記憶されているデータから選択し、選択した値に対応するタップ値を該前記停止負荷時タップ切換変圧器または前記運転中負荷時タップ切換変圧器のタップ値にする、ことを特徴とする。
【発明の効果】
【００１４】
請求項１の発明によれば、電圧降下法による演算式を用いた計算手法により、停止負荷時タップ切換変圧器のタップ値と運転中負荷時タップ切換変圧のタップ値を自動で計算し、停止負荷時タップ切換変圧器の停止前のタップ値を、運転中負荷時タップ切換変圧器の運転中のタップ値に合わせるので、無人の配電用変電所への現地出張や、複雑な処理を不要にすることができる。
【００１５】
請求項２の発明によれば、電圧降下法で算出したタップ比に最も近い値を記憶手段に記憶されているデータから選択し、選択した値に対応するタップ値を変圧器のタップ値にするので、実際の変圧器に設けられているタップ値を選出することができる。
【図面の簡単な説明】
【００１６】
【図１】この発明の実施の形態１による変圧器タップ値の予測システムを示す構成図である。
【図２】配電用変電所の系統の一例を示す系統図である。
【図３】負荷時電圧調整器付変圧器の一例を示す構成図である。
【図４】タップ比データの一例を示す図である。
【図５】別のタップ比データの一例を示す図である。
【図６】制御装置の一例を示す図である。
【図７】予測処理を表すフローチャートである。
【図８】タップ値の予測を説明する図である。
【図９】タップ値の予測方法を説明する説明図である。
【図１０】変圧器停止前の系統を表す系統図である。
【図１１】タップ値の計算を説明する説明図である。
【図１２】変圧器停止後の系統を表す系統図である。
【図１３】タップ値の計算を説明する説明図である。
【図１４】変圧器並用の系統を表す系統図である。
【発明を実施するための形態】
【００１７】
次に、この発明の各実施の形態について、図面を用いて詳しく説明する。
【００１８】
（実施の形態１）
この実施の形態による変圧器タップ値の予測システム（以下、単に「予測システム」という）を図１に示す。図１の予測システム１０は、電力会社の制御所１に設置され、配電用変電所２に設置されている配電用変圧器や配電線の管理等に利用されると共に変圧器のタップ値の予測に利用される。そして、制御所１に設置されている予測システム１０は、通信網ＮＷにより配電用変電所２と接続されている。これにより、予測システム１０は、配電用変電所２とデータの送受信が可能な状態にある。
【００１９】
配電用変電所２の一例を図２に示す。この配電用変電所２では、送電線２１Ａ、２１Ｂが遮断器２２Ａ、２２Ｂを経て、遮断器２２Ｃが設置されている母線２３Ａに接続されている。これにより、送電線２１Ａ、２１Ｂからの１１０ｋＶが母線２３Ａに供給される。つまり、母線２３Ａは１１０ｋＶ母線である。母線２３Ａは、変圧器２４Ａと遮断器２２Ｄとを経て、母線２３Ｂに接続されている。変圧器２４Ａは、降圧をする主変圧器（ＭＴｒ）である。これにより、母線２３Ａの１１０ｋＶは、変圧器２４Ａで６６ｋＶに降圧されて、母線２３Ｂに供給される。つまり、母線２３Ｂは６６ｋＶ母線である。この母線２３Ｂには、図示を省略しているが、別の変電所からの６６ｋＶの電気も供給されている。
【００２０】
母線２３Ｂは、遮断器２２Ｅと変圧器２４Ｂと遮断器２２Ｆとを経て、遮断器２２Ｇが設置されている母線２３Ｃに接続されている。変圧器２４Ｂは、降圧をする配電用変圧器（＃１ＤＴｒ）である。これにより、母線２３Ｂの６６ｋＶは、変圧器２４Ｂで６．６ｋＶに降圧されて、母線２３Ｃに供給される。また、母線２３Ａは、変圧器２４Ｃと遮断器２２Ｈとを経て、母線２３Ｃに接続されている。変圧器２４Ｃは、１１０ｋＶを６．６ｋＶに降圧をする配電用変圧器（＃３ＤＴｒ）である。つまり、母線２３Ｃは６ｋＶ母線である。この母線２３Ｃに各配電線（図示を省略）が接続され、６．６ｋＶの電圧が需要家に向けて送られる。
【００２１】
先に述べたように、変圧器２４Ｂ、２４Ｃは配電用変圧器である。変圧器２４Ｂ、２４Ｃとして、負荷時電圧調整器付変圧器が用いられている。例えば、変圧器２４Ｂは、図３に示すように、１次巻線２４Ｂ１と２次巻線２４Ｂ２とを備えている。１次巻線２４Ｂ１の一端には、入力端子２４Ｂ３が接続され、２次巻線２４Ｂ２には、出力端子２４Ｂ５、２４Ｂ６が接続されている。さらに、１次巻線２４Ｂ１には、１７個のタップ２４Ｂ１１〜２４Ｂ１７が設けられている。タップ２４Ｂ１１〜２４Ｂ１７は、１次側電圧や負荷等の変化に応じて２次側電圧を一定に保つためのものであり、負荷時タップ切換装置２４Ｂ１０によって切り換えられる。この実施の形態では、切り換えられたタップが、１次巻線２４Ｂ１の他端の入力端子２４Ｂ４に接続される。
【００２２】
負荷時タップ切換装置２４Ｂ１０は、ＬＲ（Ｌｏａｄ  Ｒｅｇｕｌａｔｉｏｎ：負荷時タップ切換装置）であり、制御所１または配電用変電所２からの制御で切換動作する。切換動作には、ＬＲ手動またはＬＲ自動があり、ＬＲ手動は、制御所１の担当者が手動でタップ切換装置２４Ｂ１０を動かすものである。また、ＬＲ自動は、配電用変電所２の変圧器に設けられた電圧調整装置が自動で負荷時タップ切換装置２４Ｂ１０を動かすものである。
【００２３】
変圧器２４Ｃについても、入力電圧は変圧器２４Ｂと異なるが、変圧器２４Ｂと同様に、１７個のタップと負荷時タップ切換装置とを備え、ＬＲ自動またはＬＲ手動による切換動作が行われる。
【００２４】
一方、制御所１の予測システム１０（図１）は、通信装置１１と、サーバ１２と、制御装置１３とを備えている。通信装置１１とサーバ１２と制御装置１３とは、社内ネットワークＬＡＮによって、データの送受信が可能である。通信装置１１は、通信網ＮＷを経て、制御装置１３と配電用変電所２とを接続する。
【００２５】
予測システム１０のサーバ１２は、予測システムに必要とするデータを記憶している。サーバ１２が記憶するデータには、変圧器２４Ｂである「＃１ＤＴｒ」のタップ比を表すタップ比データがある。変圧器２４Ｂのタップ比データを図４に示す。このタップ比データには、タップの位置を表すタップ値に対応する１次側電圧と２次側電圧とが記録されている。さらに、タップ値に対応してタップ比が記録されている。タップ比は、１次側電圧と２次側電圧との比である変圧比でもある。
【００２６】
変圧器２４Ｃである「＃３ＤＴｒ」のタップ比データを図５に示すが、このデータは、「＃１ＤＴｒ」のタップ比データと同様である。つまり、このタップ比データには、タップの位置を表すタップ値に対応する１次側電圧と２次側電圧とが記録されている。さらに、タップ値に対応してタップ比が記録されている。
【００２７】
また、サーバ１２は、図示を省略しているが、変圧器２４Ｂ、２４Ｃを含む各変圧器のパーセントインピーダンス（％Ｚ）を、インピーダンスデータに記憶している。
【００２８】
予測システム１０の制御装置１３は、配電用変電所２の管理に関する各種の制御を行う。このために、制御装置１３は、図６に示すように、処理部１３Ａ、記憶部１３Ｂ、表示部１３Ｃ、通信部１３Ｄおよび入力部１３Ｅを備えている。処理部１３Ａ〜入力部１３ＥはバスＢＵＳによってデータ伝送可能なように相互に接続されている。
【００２９】
制御装置１３の表示部１３Ｃは、各種のデータ等を表示する表示装置である。通信部１３Ｄは社内ネットワークＬＡＮに接続されている。これにより、通信部１３Ｄは、処理部１３Ａ等が外部とデータを送受信することを可能にする。入力部１３Ｅは、制御所１の担当者に操作されるものであり、キーボードやマウス等のような入力装置である。
【００３０】
制御装置１３の記憶部１３Ｂは、各種のデータを記憶する記憶装置である。また、記憶部１３Ｂは、処理部１３Ａに必要なプログラムをあらかじめ記憶している。
【００３１】
処理部１３Ａは、記憶部１３Ｂに記憶されているプログラムを実行して処理を行う。処理部１３Ａが行う処理には、ＬＲ手動を行うための処理がある。処理部１３Ａは、入力部１３ＥからＬＲ手動の指示を受け取ると、表示部１３Ｃを制御して、変圧器２４Ｂ、２４Ｃのタップを上げ下げするための表示を行う。制御所１の担当者が入力部１３Ｅを操作して、タップを上げ下げする指示を入力すると、処理部１３Ａは、通信部１３Ｄを制御して、タップの上げ下げを表すタップ切換信号を配電用変電所２に送信する。
【００３２】
処理部１３Ａが行う処理には、変圧器の現在のタップ値を予測する予測処理がある。通常、配電用変電所では、タップ値がＴＣ（遠方監視制御装置）による送りとなっていないため、この予測処理が行われる。処理部１３Ａは、電圧降下法を使用した予測処理で、タップ値を予測している。つまり、処理部１３Ａは、予測対象の変圧器の１次側電圧、無効電力、パーセントインピーダンス（％Ｚ）、２次側電圧を用い、電圧降下法によって該当する変圧器のタップ値を算出する。
【００３３】
処理部１３Ａは、図７に示す予測処理を開始すると、該当する変圧器のパーセントインピーダンス（％Ｚ）とタップ比データとを、サーバ１２が記憶しているインピーダンスデータの中から読み出す（ステップＳ１）。なお、処理部１３Ａは読み出したデータを記憶部１３Ｂに一時的に記憶する。この後、処理部１３Ａは、電圧降下法による計算式を用いてタップ比を算出する（ステップＳ２）。
【００３４】
この電圧降下法による計算式は、
１次側電圧×（１−無効電力×変圧器の％Ｚ）×１／タップ比＝２次側電圧
の関係から、
タップ比＝（１次側電圧×（１−無効電力×変圧器の％Ｚ））／２次側電圧
となる。処理部１３Ａは、このタップ比演算式をステップＳ２で用いる。
【００３５】
具体的には、処理部１３Ａは、例えば変圧器２４Ｂのタップ値を予測する場合、予測システム１０のサーバ１２が記憶しているインピーダンスデータの中から、変圧器２４Ｂのパーセントインピーダンス（％Ｚ）とタップ比データとを読み出し、記憶部１３Ｂに一時的に保存する。この後、処理部１３Ａは、配電用変電所２から送信されてくるデータの中から、変圧器２４Ｂの直近の１次側電圧、２次側電圧および無効電力を記憶部１３Ｂに記憶する。この結果、記憶部１３Ｂに記憶されていると共にタップ比演算式に必要とするデータは、次のとおりになる。
１次側電圧：６５．７  ｋＶ
無効電力：−５．２  Ｍｖａｒ
変圧器の％Ｚ：７．５３３  ％
２次側電圧：６．６９  ｋＶ
【００３６】
処理部１３Ａは、これらのデータをタップ比演算式に用いると、
タップ比＝（６５．７×（１−（−５．２×７．５３３／１０）／１００）
／６．６９
となり、タップ比は、
タップ比＝１０．２０５
となる。
【００３７】
ステップＳ２でタップ比を算出すると、処理部１３Ａは、図８に示すように、記憶部１３Ｂに記憶してあるタップ比データを参照し（ステップＳ３）、タップ比演算式で算出したタップ比である値「１０．２０５」に対して近傍の値を、このタップ比データから選択する（ステップＳ４）。ステップＳ４では、算出したタップ値に前後する直近の値を選択している。図８では、処理部１３Ａは、近傍の値として、算出した値「１０．２０５」に前後する「１０．２９９」および「１０．１６４」を選択している。そして、処理部１３Ａは、選択した値と、タップ比演算式で算出した値との誤差を調べる（ステップＳ５）。具体的には、
１０．２０５−１０．２９９＝−０．０９４
１０．２０５−１０．１６４＝−０．０４１
により誤差を算出する。この後、処理部１３Ａは、小さい誤差のタップ比に対応するタップ値を、タップ比データから調べて（ステップＳ６）、該当する変圧器つまり予測対象の変圧器のタップ値とする（ステップＳ７）。具体的には、処理部１３Ａは、誤差「−０．０９４」と誤差「−０．０４１」の中から、小さい誤差のタップ比「１０．１６４」に対応するタップ値「５」を、タップ比データから調べて、変圧器２４Ｂのタップ値とする。これにより、実際の変圧器である変圧器２４Ｂに設けられているタップ値を、処理部１３Ａが選出している。
【００３８】
このようにして、処理部１３Ａは、電圧降下法を用いた予測処理により、予測対象である変圧器のタップ値を予測する。また、この予測処理を定期的に繰り返して行い、最新のタップ値を予測するようにしてもよい。
【００３９】
次に、この実施の形態による変圧器タップ値の予測システムによるタップ値の予測方法について、変圧器２４Ｃを停止する場合を例とし、図９の説明図を用いて説明する。なお、図９では、「停止変圧器」が変圧器２４Ｃを表し、「運転中変圧器」が変圧器２４Ｂを表している。図１０に示すように、変圧器２４Ｃの停止前では、変圧器２４Ｂ、２４ＣがＬＲ自動からＬＲ手動にされた状態であり、「２５０」の遮断器２２Ｇが「切」の状態になっている。なお、図１０では、「×」印が遮断器の「切」を表している。こうした状態のときに、処理部１３Ａは、配電用変電所２から受信したデータを基にしたデータ、つまり、停止前変圧器（＃３Ｔｒ）である変圧器２４Ｃの１次側電圧、２次側電圧および無効電力と、サーバ１２に記憶されているデータ、つまり、変圧器２４Ｃのパーセントインピーダンス（％Ｚ）、タップ比（変圧比）を含むタップ比データとから、予測処理により変圧器２４Ｃの停止前のタップ値を算出する。
【００４０】
具体的には、図１１に示すように、「＃３Ｔｒ」つまり変圧器２４Ｃが停電する日に、「＃３Ｔｒ」の停電前１１０ｋＶ電圧の値「１１０」ｋＶと、「＃３Ｔｒ」の停電前６ｋＶ電圧の値「６．５４」ｋＶと、２次側電圧・電流から算出された値であって、「＃３Ｔｒ」の停電前最新無効電力の値「−５．０」Ｍｖａｒとから、「＃３Ｔｒ」について予測処理を行う。「＃３Ｔｒ」のタップ予想を行うと、タップ値は「３」となる。
【００４１】
この後、制御装置１３の入力部１３Ｅに対する操作により、図１２に示すように、「２５０」の遮断器２２Ｇが「入」にされると共に「２３３」の遮断器２２Ｈが「切」にされて、変圧器２４Ｃが停止される。そして、遮断器２２Ａ、２２Ｂ、２２Ｄ等が必要に応じて「切」にされて、変圧器２４Ｃなどに対する作業が行われる。
【００４２】
作業が終了し、復旧に際して変圧器２４Ｂと変圧器２４Ｃとを並用する場合、並用前に運転中の変圧器２４Ｂについて、処理部１３Ａは、配電用変電所２から受信したデータを基にしたデータ、つまり、運転中変圧器である変圧器２４Ｂの１次側電圧、２次側電圧および無効電力と、サーバ１２に記憶されているデータ、つまり、変圧器２４Ｂのパーセントインピーダンス（％Ｚ）、タップ比（変圧比）を含むタップ比データとから、運転中の変圧器２４Ｂのタップ値を予測処理により算出する。
【００４３】
具体的には、図１３に示すように、「＃１Ｔｒ」つまり変圧器２４Ｂが変圧器２４Ｃと並用される日に、Ｔｒ（変圧器）並用前６６ｋＶ電圧の値「６５．７」ｋＶと、Ｔｒ並用前６ｋＶ電圧の値「６．６９」ｋＶと、２次側電圧・電流から算出された値であって、並用前「＃１Ｔｒ」の最新無効電力の値「−５．２」Ｍｖａｒとから、「＃１Ｔｒ」について予測処理を行う。「＃１Ｔｒ」のタップ予想を行うと、タップ値は「５」となる。この値の算出は、先に説明したとおりである。
【００４４】
この後、既に算出した変圧器２４Ｃの停止前のタップ値を、変圧器２４Ｂの運転中のタップ値に合わせる。これは、入力部１３Ｅに対するタップの上げ下げ指示により、タップ値が変更される。
【００４５】
具体的には、「＃３Ｔｒ」である変圧器２４Ｃの停止前のタップ値が「３」であり、「＃１Ｔｒ」である変圧器２４Ｂの運転中のタップ値が「５」であるので、担当者は、入力部１３Ｅを操作して、タップ値を２つ上げる指示を入力する。これにより、配電用変電所２の変圧器２４Ｃのタップ値が２つ上がり、値「５」となる。なお、この実施の形態では、当日、現地の作業者により、予測処理で算出したタップ値と、実際のタップ値とが同じであることが確認された。
【００４６】
この後、制御装置１３の入力部１３Ｅに対する操作により、図１４に示すように、「２３３」の遮断器２２Ｈが「入」にされて、変圧器２４Ｂと変圧器２４Ｃとが並列に運転される並用が行われる。こうして、変圧器２４Ｂと変圧器２４Ｃとによるループとした後、「２５０」の遮断器２２Ｇが「切」にされて、常時復旧操作が終了する。
【００４７】
こうして、この実施の形態によれば、変圧器停止前の１次・２次側電圧、無効電力と、変圧器のパーセントインピーダンス、変圧比から予想タップ値を算出することができる。また、この実施の形態によれば、変圧器並用前の運転中変圧器のタップ値を電圧降下法を用いて算出し、ＬＲを手動にして固定しておき、その値に復旧する変圧器のタップ値を合わせることで、現地でのタップ値確認を省略し、効率的な変圧器並用操作を可能にする。そして、無人の配電用変電所への現地出張や、複雑な処理を不要にすることができる。この結果、
１．操作時間の短縮
２．現地でのタップの読み間違い、連絡ミス等によるヒューマンエラーの防止
３．現地出張の省略による業務の効率化
４．現地出張の不要による車両運行の省略により、ＣＯ２の発生低減
ということが可能になる。
【００４８】
なお、この実施の形態で説明した、図１１や図１３に示したタップ値の計算を表す図を、処理部１３Ａが表示部１３Ｃに表示するようにしてもよい。
【００４９】
（実施の形態２）
この実施の形態では、変圧器等に対する作業を行う前に、例えば変圧器の状態確認のために現地に作業者が出向く場合がある。この場合、処理部１３Ａによる停止変圧器の停止前タップ算出（図９）を省略することができる。この場合には、運転中変圧器の並用前のタップ値算出が必要であるだけであり、処理手順の簡略化が可能である。
【符号の説明】
【００５０】
１  制御所
１０  予測システム
１１  通信装置
１２  サーバ（記憶手段）
１３  制御装置（処理手段）
１３Ａ  処理部
１３Ｂ  記憶部
１３Ｃ  表示部
１３Ｄ  通信部
１３Ｅ  入力部
２  配電用変電所
２１Ａ、２１Ｂ  送電線
２２Ａ〜２２Ｈ  遮断器
２３Ａ〜２３Ｃ  母線
２４Ａ〜２４Ｃ  変圧器
２４Ｂ１  １次巻線
２４Ｂ２  ２次巻線
２４Ｂ３  負荷時タップ切換装置
２４Ｂ１１〜２４Ｂ１７  タップ
【図１】
0005415511.tif 000002
【図２】
0005415511.tif 000003
【図３】
0005415511.tif 000004
【図４】
0005415511.tif 000005
【図５】
0005415511.tif 000006
【図６】
0005415511.tif 000007
【図７】
0005415511.tif 000008
【図８】
0005415511.tif 000009
【図９】
0005415511.tif 000010
【図１０】
0005415511.tif 000011
【図１１】
0005415511.tif 000012
【図１２】
0005415511.tif 000013
【図１３】
0005415511.tif 000014
【図１４】
0005415511.tif 000015